(57)【特許請求の範囲】
【請求項１】
複数の片面原稿を読み取って記録紙の両面に記録する原稿読取記録装置において、第１面用原稿の大きさと記録紙の大きさとを比較する第１比較手段と、該第１比較手段により第１面用原稿は記録紙よりも小さいと判定した場合に、第２面用原稿の大きさと前記記録紙の大きさとを比較する第２比較手段とを備えることを特徴とする原稿読取記録装置。
【請求項２】
前記第１比較手段により第１面用原稿は記録紙よりも小さいと判定した場合に、前記第２比較手段により第２面用原稿と前記記録紙とは同じ大きさであると判定したときは、前記記録紙の両面に記録する手段と、前記第２比較手段により第２面用原稿は前記記録紙よりも大きいと判定したときは、適切な記録紙が無い旨を警告する手段とを備えることを特徴とする請求項１に記載の原稿読取記録装置。
【請求項３】
前記第１比較手段により第１面用原稿は記録紙よりも小さいと判定し、前記第２比較手段により第２面用原稿も前記記録紙よりも小さいと判定した場合に、第１面用原稿は変倍されているか否かを判定する判定手段と、該判定手段により変倍されていると判定した場合に、前記記録紙の両面に記録する手段と、前記判定手段により変倍されていないと判定した場合に、適切な記録紙が無い旨を警告する手段とを備えることを特徴とする請求項１又は２に記載の原稿読取記録装置。
【発明の詳細な説明】
【０００１】
【発明の属する技術分野】
本発明は、ファクシミリ装置、複写機等の原稿読取記録装置に関し、特に片面原稿を読み取って記録紙の両面に記録する原稿読取記録装置に関する。
【０００２】
【従来の技術】
種々の大きさを有する複数枚の原稿を読み取って記録紙の両面に記録を行う原稿読取記録装置において、原稿のコピーを行う場合、両面原稿を読み取って記録紙の両面に記録を行うだけでなく、例えば片面原稿を２枚読み取って、１枚目を記録紙の第１面用原稿、２枚目を前記記録紙の第２面用原稿とすることにより、１枚の記録紙の両面に記録することが可能である。
【０００３】
【発明が解決しようとする課題】
上述した原稿読取記録装置においては、原稿と記録紙とが同じ大きさでない場合、適切な記録紙が無い旨を警告する構成となっている。このために、第１面用原稿の大きさと第２面用原稿の大きさとが異なり、第１面用原稿が記録紙よりも小さく、第２面用原稿と前記記録紙とが同じ大きさである場合には、表面を前記記録紙の大きさに合わせて余白付きとすることによって、前記記録紙の両面に記録を行っても支障はないにもかかわらず、第１面用原稿と記録紙とが同じ大きさでないために第２面用原稿を読み取る処理を行わないので、コピー効率が悪い。
【０００４】
本発明は斯かる事情に鑑みてなされたものであって、その目的とするところは、第１面用原稿は記録紙よりも小さいと判定した場合であっても第２面用原稿の大きさと前記記録紙の大きさとを比較する手段を備えることにより、効率よくコピーを行うことができる原稿読取記録装置を提供することにある。
【０００５】
【課題を解決するための手段】
第１発明に係る原稿読取記録装置は、複数の片面原稿を読み取って記録紙の両面に記録する原稿読取記録装置において、第１面用原稿の大きさと記録紙の大きさとを比較する第１比較手段と、該第１比較手段により第１面用原稿は記録紙よりも小さいと判定した場合に、第２面用原稿の大きさと前記記録紙の大きさとを比較する第２比較手段とを備えることを特徴とする。
【０００６】
第１発明においては、第１面用原稿は記録紙よりも小さい場合であっても、第２面用原稿の大きさと前記記録紙の大きさとを比較することにより、第１面用原稿、第２面用原稿の両方の大きさを前記記録紙の大きさと比較してから記録する構成とすることができ、これにより効率よくコピーを行うことができる。
【０００７】
第２発明に係る原稿読取記録装置は、第１発明において、前記第１比較手段により第１面用原稿は記録紙よりも小さいと判定した場合に、前記第２比較手段により第２面用原稿と前記記録紙とは同じ大きさであると判定したときは、前記記録紙の両面に記録する手段と、前記第２比較手段により第２面用原稿は前記記録紙よりも大きいと判定したときは、適切な記録紙が無い旨を警告する手段とを備えることを特徴とする。
【０００８】
第２発明においては、第１面用原稿が記録紙よりも小さく、第２面用原稿と前記記録紙とが同じ大きさである場合、前記記録紙の第１面は余白付きで記録を行うことで、効率よくコピーを行うことができる。また、第１面用原稿が記録紙よりも小さく、第２面用原稿は前記記録紙より大きい場合、適切な記録紙が無い旨を警告することにより、ミスコピーをなくすことができる。
【０００９】
第３発明に係る原稿読取記録装置は、第１又は第２発明において、前記第１比較手段により第１面用原稿は記録紙よりも小さいと判定し、前記第２比較手段により第２面用原稿も前記記録紙よりも小さいと判定した場合に、第１面用原稿は変倍されているか否かを判定する判定手段と、該判定手段により変倍されていると判定した場合に、前記記録紙の両面に記録する手段と、前記判定手段により変倍されていないと判定した場合に、適切な記録紙が無い旨を警告する手段とを備えることを特徴とする。
【００１０】
第３発明においては、拡大又は縮小による変倍がなされていない第１面用原稿が記録紙よりも小さく、第２面用原稿も前記記録紙よりも小さい場合、適切な記録紙が無い旨を警告することにより、ミスコピーをなくすことができる。また、変倍後の第１面用原稿が記録紙よりも小さく、第２面用原稿も前記記録紙よりも小さい場合、前記記録紙の両面とも余白付きで記録を行うことで、効率よくコピーを行うことができる。
【００１１】
【発明の実施の形態】
以下、本発明をその実施の形態を示す図面に基づいて説明する。
図１は、本発明に係る原稿読取記録装置を適用したコピー・ファクシミリ複合機の構成を示すブロック図である。
【００１２】
この複合機は、制御部１、読取部２、給紙部３、記録部４、表示部５、操作部６、ＲＯＭ７、ＲＡＭ８、画像メモリ９、モデム１０、ＮＣＵ（Ｎｅｔｗｏｒｋ  Ｃｏｎｔｒｏｌ  Ｕｎｉｔ）１１等を備えている。
【００１３】
制御部１は、ＣＰＵで構成されており、バス１２を介して複合機の上述したハードウェアと接続されていて、ＲＯＭ７に格納された複合機の動作に必要なコンピュータプログラムを実行し、所定の機能を果たす。
【００１４】
読取部２は、ＣＣＤアレイを備え、セットされた種々の大きさを有する複数の原稿を１枚ずつ読み取る。原稿を読み取ることにより、原稿の大きさも読み取る。給紙部３は、１又は複数の大きさの記録紙が大きさ毎にセットされ、適切な大きさの記録紙を１枚ずつ給紙する。記録部４は、電子写真方式の画像記録装置であって、コピー又は送信すべく読取部２にて読み取った原稿の画データ、又はファクシミリ通信により受信した画データを給紙部３により給紙される記録紙に記録する。また、記録部４は、読取部２にて読み取った複数の片面原稿を給紙部３により給紙される記録紙の両面に記録する機能を有する。これにより、１枚目の原稿を第１面用原稿（表面用原稿）として、画データを記録紙の第１面（表面）に記録し、２枚目の原稿を第２面用原稿（裏面用原稿）として、画データを前記記録紙の第２面（裏面）に記録する。
【００１５】
表示部５は、液晶表示装置又はＣＲＴディスプレイ等の表示装置であり、複合機の動作状態を表示したり、コピー又は送信すべく読取部２にて読み取った原稿の画データ、又は受信した画データの表示を行う。また、表示部５は、適切な記録紙が無い旨を警告する画像を表示する。操作部６は、複合機を操作するために必要な文字キー、テンキー、短縮ダイヤルキー、ワンタッチダイヤルキー、各種のファンクションキー等を備えている。このファンクションキー中には、片面原稿を読み取って記録紙の両面に記録するように設定する両面記録キー６１、コピーを開始するスタートキー６２、記録紙の両面に記録する場合、表面用原稿の大きさに応じて所定倍率にて変倍するように設定する固定変倍キー６３が含まれる。固定変倍キー６３の押下により、表面用原稿が記録紙よりも小さい場合は予め設定された拡大率に拡大し、表面用原稿が記録紙よりも大きい場合は予め設定された縮小率に縮小することによって固定変倍を行う。
【００１６】
ＲＡＭ８は、ＳＲＡＭ又はフラッシュメモリ等で構成され、ソフトウェアの実行時に発生する一時的なデータを記憶する。画像メモリ９は、ＤＲＡＭ等で構成され、コピー又は送信すべく読取部２にて読み取った画データ、又は受信した画データを蓄積する。
【００１７】
モデム１０は、ファクシミリ通信が可能なファクシミリモデムから構成されている。また、モデム１０は、ＮＣＵ１１と直接接続されている。ＮＣＵ１１は、複合機と回線Ｌとの接続及び遮断の動作を行うハードウェアであり、必要に応じてモデム１０を回線Ｌと接続する。
【００１８】
図２は、片面原稿を読み取って記録紙の両面に記録すべく両面記録キー６１が押下された場合の、上述した複合機の制御部１の処理例を示す説明図である。制御部１は、表面用原稿、裏面用原稿、及び給紙部３にセットされる記録紙の大きさの違いにより、記録紙の両面に記録するか、又は適切な記録紙が無い旨を警告する処理を行う。
【００１９】
表面用原稿の大きさと給紙部３にセットされた記録紙の大きさとを比較し、給紙部３にセットされた記録紙の中に表面用原稿と同じ大きさの記録紙がある場合、同じ大きさの記録紙を、記録すべき記録紙として選択して、裏面用原稿の大きさと前記記録紙の大きさとを比較する。また、固定変倍後を含む表面用原稿が給紙部３にセットされた記録紙よりも小さい場合、適宜の大きさの記録紙を選択して、裏面用原稿の大きさと前記記録紙の大きさとを比較する。さらに、固定変倍後を含む表面用原稿が給紙部３にセットされた記録紙よりも大きい場合、適切な記録紙が無い旨を警告する。
【００２０】
図２の第１例においては、給紙部３にセットされた記録紙の中に表面用原稿と同じ大きさの記録紙があって、さらに、裏面用原稿は前記記録紙と同じ大きさである場合、記録部４にて前記記録紙の両面に記録を行わせる。表面用原稿はＡ４サイズであり、裏面用原稿もＡ４サイズであり、給紙部３にセットされる記録紙の中にＡ４サイズがある場合、第１例に該当する。
【００２１】
第４例においては、表面用原稿は給紙部３にセットされた記録紙よりも小さく、さらに、裏面用原稿は記録を行うべく選択された記録紙と同じ大きさである場合、記録部４にて前記記録紙の両面に記録を行わせる。この場合、前記記録紙の表面は余白付きで記録される。例えば、表面用原稿はＡ４サイズであり、裏面用原稿はＡ３サイズであり、給紙部３にセットされる記録紙はＡ３サイズのみである場合、第４例に該当する。第７例においては、表面用原稿は給紙部３にセットされた記録紙よりも小さく、さらに、裏面用原稿は記録を行うべく選択された記録紙よりも大きい場合、適切な記録紙が無い旨を警告する。例えば、表面用原稿はＡ４サイズであり、裏面用原稿はＡ３サイズであり、給紙部３にセットされる記録紙はＢ４サイズのみである場合、第７例に該当する。
【００２２】
また、第５例においては、拡大又は縮小による固定変倍後の表面用原稿は給紙部３にセットされた記録紙よりも小さく、さらに、裏面用原稿は記録を行うべく選択された記録紙よりも小さい場合、記録部４にて前記記録紙の両面に記録を行わせる。この場合、前記記録紙の表面及び裏面とも余白付きで記録される。例えば、表面用原稿はＡ３サイズが８１％に縮小された大きさであり、裏面用原稿はＢ５Ｒサイズであり、給紙部３にセットされる記録紙はＢ４及びＡ４サイズである場合、第５例に該当する。第６例においては、固定変倍されていない表面用原稿は給紙部３にセットされた記録紙よりも小さく、さらに、裏面用原稿は記録を行うべく選択された記録紙よりも小さい場合、適切な記録紙が無い旨を警告する。例えば、表面用原稿はＡ４サイズであり、裏面用原稿はＢ５サイズであり、給紙部３にセットされる記録紙はＡ３サイズのみである場合、第６例に該当する。
【００２３】
以下に、このような複合機の制御部１の処理手順を、図３及び図４に示すフローチャートに基づいて説明する。制御部１は、両面記録キー６１が押下される（ステップＳ１）と、スタートキー６２が押下されたか否かを判定し（ステップＳ２）、押下されていないと判定した場合（ステップＳ２：ＮＯ）、押下されたと判定するまで待機する。ステップＳ２において、スタートキー６２が押下されたと判定した場合（ステップＳ２：ＹＥＳ）、制御部１は、読取部２に表面用原稿の読み取りを行わせ（ステップＳ３）、ステップＳ３にて読み取った表面用原稿と同じ大きさの記録紙が給紙部３に有るか否かを判定する（ステップＳ４）。
【００２４】
ステップＳ４において、表面用原稿と同じ大きさの記録紙が有ると判定した場合（ステップＳ４：ＹＥＳ）、制御部１は、給紙部３にセットされた記録紙の中から、表面用原稿と同じ大きさの記録紙を選択する（ステップＳ５）。そして、制御部１は、読取部２に裏面用原稿の読み取りを行わせ（ステップＳ６）、ステップＳ６にて読み取った裏面用原稿はステップＳ５にて選択した記録紙と同じ大きさであるか否かを判定する（ステップＳ７）。
【００２５】
ステップＳ７において、裏面用原稿は選択した記録紙と同じ大きさであると判定した場合（ステップＳ７：ＹＥＳ）、制御部１は、記録部４に、ステップＳ３及びステップＳ６にて読み取った原稿の画データをステップＳ５にて選択した記録紙の両面に記録させ（ステップＳ８）、処理を終了する。この場合の処理は、図２の第１例に該当する。
【００２６】
ステップＳ７において、裏面用原稿は選択した記録紙と同じ大きさではないと判定した場合（ステップＳ７：ＮＯ）、制御部１は、裏面用原稿はステップＳ５にて選択した記録紙よりも小さいか否かを判定し（ステップＳ９）、裏面用原稿は選択した記録紙よりも小さいと判定した場合、（ステップＳ９：ＹＥＳ）、記録部４に、ステップＳ３及びステップＳ６にて読み取った原稿の画データをステップＳ５にて選択した記録紙の両面に、裏面は余白付きで記録させ（ステップＳ１０）、処理を終了する。この場合の処理は、図２の第２例に該当する。
【００２７】
ステップＳ９において、裏面用原稿は選択した記録紙よりも大きいと判定した場合（ステップＳ９：ＮＯ）、制御部１は、適切な記録紙が無い旨を警告すべく、表示部５に、「適切な記録紙が有りません。」を表示させ（ステップＳ１１）、処理を終了する。この場合の処理は、図２の第３例に該当する。
【００２８】
ステップＳ４において、表面用原稿と同じ大きさの記録紙が無いと判定した場合（ステップＳ４：ＮＯ）、制御部１は、固定変倍キー６３の押下により固定変倍が設定されているか否かを判定する（ステップＳ１２）。ステップＳ１２において、固定変倍が設定されていると判定した場合（ステップＳ１２：ＹＥＳ）、制御部１は、ステップＳ３にて読み取った表面用原稿の固定変倍を行い（ステップＳ１３）、固定変倍された表面用原稿は給紙部３に有る記録紙よりも小さいか否かを判定する（ステップＳ１４）。
【００２９】
ステップＳ１２において、固定変倍が設定されていないと判定した場合（ステップＳ１２：ＮＯ）、制御部１は、表面用原稿は給紙部３に有る記録紙よりも小さいか否かを判定する（ステップＳ１５）。
【００３０】
ステップＳ１４において、固定変倍された表面用原稿は給紙部３に有る記録紙よりも小さいと判定した場合（ステップＳ１４：ＹＥＳ）、及び、ステップＳ１５において、表面用原稿は給紙部３に有る記録紙よりも小さいと判定した場合（ステップＳ１５：ＹＥＳ）、制御部１は、給紙部３にセットされた記録紙の中から、適宜の大きさの記録紙を選択する（ステップＳ１６）。そして、制御部１は、読取部２に裏面用原稿の読み取りを行わせ（ステップＳ１７）、ステップＳ１７にて読み取った裏面用原稿はステップＳ１６にて選択した記録紙と同じ大きさであるか否かを判定する（ステップＳ１８）。
【００３１】
ステップＳ１８において、裏面用原稿は選択した記録紙と同じ大きさであると判定した場合（ステップＳ１８：ＹＥＳ）、制御部１は、記録部４に、ステップＳ３及びステップＳ１７にて読み取った原稿の画データをステップＳ１６にて選択した記録紙の両面に、表面は余白付きで記録させ（ステップＳ１９）、処理を終了する。この場合の処理は、図２の第４例に該当する。
【００３２】
ステップＳ１８において、裏面用原稿は選択した記録紙と同じ大きさではないと判定した場合（ステップＳ１８：ＮＯ）、制御部１は、裏面用原稿はステップＳ１６にて選択した記録紙よりも小さいか否かを判定する（ステップＳ２０）。ステップＳ２０において、裏面用原稿は選択した記録紙よりも小さいと判定した場合（ステップＳ２０：ＹＥＳ）、制御部１は、ステップＳ１３における固定変倍を行ったか否かを判定し（ステップＳ２１）、固定変倍を行ったと判定した場合（ステップＳ２１：ＹＥＳ）、記録部４に、ステップＳ３及びステップＳ１７にて読み取った原稿の画データをステップＳ１６にて選択した記録紙の表面、裏面共に余白付きで記録させ（ステップＳ２２）、処理を終了する。この場合の処理は、図２の第５例に該当する。
【００３３】
ステップＳ２１において、固定変倍を行っていないと判定した場合（ステップＳ２１：ＮＯ）、制御部１は、適切な記録紙が無い旨を警告すべく、表示部５に、「適切な記録紙が有りません。」を表示させ（ステップＳ２３）、処理を終了する。この場合の処理は、図２の第６例に該当する。
【００３４】
ステップＳ２０において、裏面用原稿は選択した記録紙よりも大きいと判定した場合（ステップＳ２０：ＮＯ）、制御部１は、適切な記録紙が無い旨を警告すべく、表示部５に、「適切な記録紙が有りません。」を表示させ（ステップＳ２３）、処理を終了する。この場合の処理は、図２の第７例に該当する。
【００３５】
ステップＳ１４において、固定変倍された表面用原稿は給紙部３に有る記録紙よりも大きいと判定した場合（ステップＳ１４：ＮＯ）、制御部１は、適切な記録紙が無い旨を警告すべく、表示部５に、「適切な記録紙が有りません。」を表示させ（ステップＳ２３）、処理を終了する。この場合の処理は、図２の第８例に該当する。
【００３６】
ステップＳ１５において、表面用原稿は給紙部３に有る記録紙よりも大きいと判定した場合（ステップＳ１５：ＮＯ）、制御部１は、適切な記録紙が無い旨を警告すべく、表示部５に、「適切な記録紙が有りません。」を表示させ（ステップＳ２３）、処理を終了する。この場合の処理は、図２の第９例に該当する。
【００３７】
なお、本実施の形態においては、読み取った原稿の１枚目を表面用原稿として記録紙の表面に記録し、２枚目を裏面用原稿として前記記録紙の裏面に記録する形態としたが、これに限定するものではなく、読み取った原稿の１枚目を裏面用原稿として記録紙の裏面に記録し、２枚目を表面用原稿として前記記録紙の表面に記録する形態であってもよい。
【００３８】
【発明の効果】
第１発明によれば、第１面用原稿は記録紙よりも小さい場合であっても、第２面用原稿の大きさと前記記録紙の大きさとを比較することにより、第１面用原稿、第２面用原稿の両方の大きさを前記記録紙の大きさと比較してから記録する構成とすることができ、これにより効率よくコピーを行うことができる。
【００３９】
第２発明によれば、第１面用原稿が記録紙よりも小さく、第２面用原稿と前記記録紙とが同じ大きさである場合、前記記録紙の第１面は余白付きで記録を行うことで、効率よくコピーを行うことができる。また、第１面用原稿が記録紙よりも小さく、第２面用原稿は前記記録紙より大きい場合、適切な記録紙が無い旨を警告することにより、ミスコピーをなくすことができる。
【００４０】
第３発明によれば、拡大又は縮小による変倍がなされていない第１面用原稿が記録紙よりも小さく、第２面用原稿も前記記録紙よりも小さい場合、適切な記録紙が無い旨を警告することにより、ミスコピーをなくすことができる。また、変倍後の第１面用原稿が記録紙よりも小さく、第２面用原稿も前記記録紙よりも小さい場合、前記記録紙の両面とも余白付きで記録を行うことで、効率よくコピーを行うことができる。
【図面の簡単な説明】
【図１】本発明に係る原稿読取記録装置を適用したコピー・ファクシミリ複合機の構成を示すブロック図である。
【図２】本発明に係る原稿読取記録装置を適用したコピー・ファクシミリ複合機の制御部の処理例を示す説明図である。
【図３】本発明に係る原稿読取記録装置を適用したコピー・ファクシミリ複合機の制御部の処理手順を示すフローチャートである。
【図４】本発明に係る原稿読取記録装置を適用したコピー・ファクシミリ複合機の制御部の処理手順を示すフローチャートである。
【符号の説明】
１  制御部
２  読取部
３  給紙部
４  記録部
６  操作部
６１  両面記録キー
６３  固定変倍キー
【図１】
0003621976.tif 000002
【図２】
0003621976.tif 000003
【図３】
0003621976.tif 000004
【図４】
0003621976.tif 000005